(57)【要約】【課題】本発明の課題は、塗布具の軸棒に複数の櫛歯を備え、各櫛歯にマスカラ液を溜めることができる液だめスペースを確保して、マスカラ液のまつ毛への塗布効果を向上させ、ファーストタッチのツキをアップさせ、ボリューム感のあるまつ毛を演出できるマスカラ塗布具に関し、櫛歯間のピッチを変えることなく、多量のマスカラ液を溜めることができ、まつげのさばき性にも優れた塗布具を開発して、上記の問題を解決できるマスカラ塗布具を提供することである。【解決手段】マスカラ塗布具のハンドル部に軸棒を取り付け、この軸棒にまつ毛を梳かす複数の櫛歯を平行列設し、この櫛歯の長手方向側面であって、隣り合う櫛歯と向き合う面に、櫛歯の根元部から先端部に向かって先細テーパー状を呈する正面視略三角形状の突起を形成し、この突起における櫛歯の根元部と向き合う位置に存する一辺と櫛歯とが交差する交差角度を、９０度以下の角度としたことを特徴とする。【選択図】図２
2010227296.tif 000002
【特許請求の範囲】
【請求項１】
マスカラ塗布具のハンドル部に軸棒を取り付け、この軸棒にまつ毛を梳かす複数の櫛歯を平行列設し、この櫛歯の長手方向側面であって、隣り合う櫛歯と向き合う面に、櫛歯の根元部から先端部に向かって先細テーパー状を呈する正面視略三角形状の突起を形成し、この突起における櫛歯の根元部と向き合う位置に存する一辺と櫛歯とが交差する交差角度を、９０度以下の角度としたことを特徴とするマスカラ塗布具。
【請求項２】
前記突起は、櫛歯の根元部から先端部の間に複数個形成されていることを特徴とする請求項１記載のマスカラ塗布具。
【請求項３】
櫛歯の横幅寸法を０．１８ｍｍ〜０．３ｍｍとし、突起のせり出し寸法を０．０２ｍｍ〜０．０５ｍｍとしたことを特徴とする請求項１又は２記載のマスカラ塗布具。
【発明の詳細な説明】
【技術分野】
【０００１】
本発明はマスカラ塗布具に係り、さらに詳しくは、塗布具の軸棒に複数の櫛歯を備えたマスカラ塗布具において、各櫛歯にマスカラ液を溜めることができる液だめスペースを確保して、マスカラ液のまつ毛への塗布効果を向上させ、ファーストタッチのツキをアップさせ、ボリューム感のあるまつ毛を演出できるマスカラ塗布具に関する。
【背景技術】
【０００２】
従来より、マスカラをまつ毛に塗布するために、各種のマスカラ塗布具が提案されてきた。
【０００３】
そのマスカラ塗布具の代表的なものは、毛を束ねたブラシからなるブラシ型塗布具と櫛歯を備えた櫛型塗布具とがあった。
その代表的なものとしては、下記のような公報が存在する。
【特許文献１】特許第３６５７５３４号公報
【特許文献２】実公平０３−１０８８１号公報
【発明の開示】
【発明が解決しようとする課題】
【０００４】
最近のマスカラの利用者には、まつ毛のセパレート効果が強く求められており、よりセパレート効果を付与する櫛型塗布具が好まれる。しかしながら櫛型塗布具には、まつ毛を太く長く見せるためのボリューム効果に劣る傾向があり、セパレート効果を維持しつつ、ボリューム感を付与できるマスカラ塗布具が求められていた。通常、この要望に応えるためには、一度に多量のマスカラ液を塗布したり、あるいは何度もマスカラ塗布作業を繰り返してまつ毛の一本一本に多量のマスカラ液を塗布する必要があった。
まつ毛の一本一本に多量のマスカラ液を塗布するためには、マスカラ塗布具に多量のマスカラ液が溜められることが好都合であったため、そのような要望に応えるものが提案されてきたが、いまだ満足のいくマスカラ塗布具が存在しないという実情があった。
例えば、マスカラ液を溜めるために、塗布具の櫛歯のピッチを広くして櫛歯間にマスカラ液の溜めスペースを確保することも考えられるが、このようにした場合には、櫛歯のピッチが広がることより櫛歯の間に入り込むまつ毛の数が多くなり、一本一本のセパレート性が損なわれるという問題があった。
【０００５】
そのため本発明は、櫛歯間のピッチを変えることなく、多量のマスカラ液を溜めることができる塗布具を開発して、上記のすべての問題を解決できるマスカラ塗布具を提供せんとするものである。
【課題を解決するための手段】
【０００６】
本発明に係るマスカラ塗布具の請求項１のものは、マスカラ塗布具のハンドル部に軸棒を取り付け、この軸棒にまつ毛を梳かす複数の櫛歯を平行列設し、この櫛歯の長手方向側面であって、隣り合う櫛歯と向き合う面に、櫛歯の根元部から先端部に向かって先細テーパー状を呈する正面視略三角形状の突起を形成し、この突起における櫛歯の根元部と向き合う位置に存する一辺と櫛歯とが交差する交差角度を、９０度以下の角度としたことを特徴とするマスカラ塗布具である．
【０００７】
また請求項２は、前記突起は、櫛歯の根元部から先端部の間に複数個形成されていることを特徴とする請求項１記載のマスカラ塗布具である。
【０００８】
さらに請求項３は、櫛歯の横幅寸法を０．１８ｍｍ〜０．３ｍｍとし、突起のせり出し寸法を０．０２ｍｍ〜０．０５ｍｍとしたことを特徴とする請求項１又は２記載のマスカラ塗布具である。
【発明の効果】
【０００９】
本発明に係るマスカラ塗布具は、櫛歯に突起を形成し、その突起の向きが、先端に向かって先細テーパー状であるために、まつ毛の間に入りやすくセパレート効果があり、一方出るときにはまつ毛に引っかかりやすいために出にくくなり、これにより溜められたマスカラ液がしっかりまつ毛に付着しボリュームアップ効果がある。
この櫛歯の突起の根元部付近には液だめスペースを確保し易くなる形状としているため、多量のマスカラ液を溜めることができるという効果を発揮する。
さらにマスカラ塗布具の櫛歯と櫛歯の間隔は従来のものと同様であるため、まつ毛一本一本のセパレート性はまったく損なわれない。
【００１０】
また請求項２及び３のマスカラ塗布具は、各櫛歯の先端形状を先鋭状化させたり、複数個の突起を配設したり、まつげの太さに合わせた寸法に形成したりしているので、まつ毛一本一本のセパレート性、さばき性をさらに向上させるという優れた効果を発揮する。
【発明を実施するための最良の形態】
【００１１】
以下、図面を参照して本発明のマスカラ塗布具の実施の形態を説明するが、本発明はこれらの実施の形態に制限されるものではない。
図１は本発明のマスカラ塗布具の正面図であり、図２は櫛歯の拡大正面図であり、図３は別の実施態様に係る櫛歯の拡大正面図である。
【００１２】
図１乃至図３に示す本発明に係るマスカラ塗布具１は、ハンドル部２の先に塗軸棒３が取り付けられ、この軸棒３には複数の櫛歯４が備えられている。
この櫛歯４には、１個又は複数個の突起５が形成されている。
【００１３】
この突起５は、櫛歯４の長手方向側面であって、隣り合う櫛歯４と向き合う面１０に形成されるものである。
また突起５は、櫛歯４の根元部１１から先端部１２に向かって先細テーパー状を呈する正面視略三角形状のものであり、各突起５のせり出しポイント１３は、隣り合う櫛歯４や、その櫛歯４に形成されている突起５のせり出しポイント１３とは接触しない状態になっている。
なお符号Ｌ１は、櫛歯４の横幅寸法であり、符号Ｌ２は、突起５のせり出し寸法であり、符号Ｌ３は櫛歯と櫛歯の間隔を意味する。
【００１４】
ついで、突起５における櫛歯４の根元部１１と向き合う位置に存する一辺１４と、櫛歯４とが交差する交差角度αは、９０度以下の角度に形成されている。
この交差角度が９０度以下である場合には、一辺１４の下方部分にマスカラ液の液だめスペースが確保され、そこに蓄えられたマスカラ液は安定的に保持されるが、交差角度が９０度を超える角度になると液だめスペースのマスカラ液が簡単に流れ出てしまう結果となる。
この液だめスペースが、マスカラ液の溜められる箇所となり、最終的に本発明マスカラ塗布具１に多量のマスカラ液が溜められることとなる。
【００１５】
図３に示す別の実施態様のものは、図２のものが一本の櫛歯の両側面に突起を形成しているのに対し、図３のものは一本の櫛歯の片側の側面にのみ突起を形成する点で相違しているが、その他の構成はまったく同じである。
【００１６】
実施例１
下記の寸法条件の各マスカラ塗布具を用意して、保持量、総合評価をテストした。その結果を表１に示す。
櫛歯４の横幅寸法Ｌ１を０．２ｍｍに統一した。
突起５のせり出し寸法Ｌ２を０．０４ｍｍに統一した。
櫛歯４と櫛歯４の間隔Ｌ３を０．２５ｍｍに統一した。（通常、櫛歯４と櫛歯４の間隔Ｌ３は、０．２〜０．３ｍｍが好ましい範囲である）
交差角度を７５度、８５度、９０度、９５度の４種を用意した。
各評価の記号は、◎→非常に優れている  ○→優れている  △→やや劣る
を意味している。
【００１７】
【表１】
2010227296.tif 000003
【００１８】
上記の結果、保持量の観点で、特に優れる総合評価となったものは、交差角度７５度、８５度、９０度とした場合であり、交差角度を９５度としたものは保持量においてやや問題があった。
【００１９】
実施例２
下記の寸法条件の各マスカラ塗布具を用意して、ツキ量、さばき性、総合評価をテストした。その結果を表１に示す。
櫛歯４の横幅寸法Ｌ１を０．２ｍｍに統一した。
突起５のせり出し寸法Ｌ２を０．０１ｍｍ、０．０２ｍｍ、０．０５ｍｍ、０．０６ｍｍの４種を用意した。
櫛歯４と櫛歯４の間隔Ｌ３を０．２５ｍｍに統一した。
各評価の記号は、◎→非常に優れている  ○→優れている  △→やや劣る
を意味している。
【００２０】
【表２】
2010227296.tif 000004
【００２１】
上記の結果、ツキ量とさばき性の観点で、特に優れる総合評価となったものは、突起５のせり出し寸法Ｌ２を０．０２ｍｍ、０．０５ｍｍとした場合であり、０．０１ｍｍとした場合には、保持量においてやや問題があり、０．０６ｍｍとした場合には、さばき性においてやや問題があった。
【産業上の利用可能性】
【００２２】
本発明によれば、マスカラ化粧料とマスカラ塗布具を取り扱う分野で利用可能である。
【図面の簡単な説明】
【００２３】
【図１】本発明のマスカラ塗布具の正面図である。
【図２】櫛歯の拡大正面図である。
【図３】別の実施態様に係る櫛歯の拡大正面図である。
【符号の説明】
【００２４】
１  マスカラ塗布具
２  ハンドル部
３  軸棒
４  櫛歯
５  突起
１１  櫛歯の根元部
１２  櫛歯の先端部
１３  突起５のせり出しポイント
１４  突起５における櫛歯４の根元部１１と向き合う位置に存する一辺
Ｌ１  櫛歯４の横幅寸法
Ｌ２  突起５のせり出し寸法
Ｌ３  櫛歯４と櫛歯４の間隔
α    交差角度
【図１】
2010227296.tif 000005
【図２】
2010227296.tif 000006
【図３】
2010227296.tif 000007